(57)【特許請求の範囲】
【請求項１】
時計ケース（８）のためのブレスレット又はストラップであって、前記ブレスレット又はストラップは、第１の印刷回路部分（４）を内部に収容する第１のアーム（５８）、及び第２のアーム（６０）を備え、前記第１のアーム（５８）は、中央部（６）によって延在し、前記中央部（６）は、前記時計ケース（８）の下に位置するように構成し、電気接続手段によって前記第１の印刷回路部分（４）に接続した第２の印刷回路部分（１０）を含み、前記第１の印刷回路部分（４）は、少なくとも１つの電気エネルギー源（３８）及びマイクロコントローラ（３０）を保持し、圧力センサ（３２）に給電し、前記圧力センサ（３２）を制御し、前記中央部（６）は、前記時計ケース（８）のための座として働くように構成した挿入体（１６）によって覆い、前記圧力センサ（３２）を内部に配置する筐体（５０）は、前記挿入体（１６）内に設け、外部と連通し、前記圧力センサ（３２）を周囲媒体と接触する状態にすることを可能にし、前記圧力センサ（３２）は、前記第２の印刷回路部分（１０）上に組み付け、封止ガスケット（５４）を前記筐体（５０）と前記第２の印刷回路部分（１０）との間に挿入する、ブレスレット又はストラップ。
【請求項２】
前記挿入体（１６）は、前記時計ケース（８）が保持する２つのそれぞれの対のホーン（４２）の間に配置するように構成した２つの案内要素（４４）を含み、前記案内要素（４４）はそれぞれ、ピン（４８）を通す穴（４６）が開けられ、前記ブレスレット（１）を前記時計ケース（８）に取り付けることを可能にし、前記圧力センサ（３２）を内部に配置する前記筐体（５０）は、前記案内要素（４４）のうち１つの内部に配置し、前記対応するピン（４８）を通す前記穴（４６）に開口し、前記穴（４６）は、前記穴（４６）の周辺部の一部に、局所直径増大部（５２）を有し、前記圧力センサ（３２）を前記周囲媒体と接触する状態にすることを特徴とする、請求項１に記載のブレスレット。
【請求項３】
前記第２のアーム（６０）内部に収容し、少なくとも１つの他の電子構成要素を保持する第３の印刷回路部分（２８）は、前記第１のアーム（５８）内部に収容した前記第１の印刷回路部分（４）に、前記第２の印刷回路部分（１０）を介して接続することを特徴とする、請求項１又は２に記載のブレスレット。
【請求項４】
前記第１の印刷回路部分（４）、前記第２の印刷回路部分（１０）及び前記第３の印刷回路部分（２８）は、一体に作製することを特徴とする、請求項３に記載のブレスレット。
【請求項５】
前記中央部（６）は、少なくとも１つの弓形部分（７８）を含むことを特徴とする、請求項３又は４に記載のブレスレット。
【請求項６】
前記第１のアーム（５８）及び前記第２のアーム（６０）は、前記第１の印刷回路部分（４）及び前記第３の印刷回路部分（２８）によって形成し、前記第１の印刷回路部分（４）及び前記第３の印刷回路部分（２８）は、第１のオーバーモールド層（５６）で被覆することを特徴とする、請求項３から５のうちいずれか一項に記載のブレスレット。
【請求項７】
前記挿入体（１６）も前記第１のオーバーモールド層（１６）で被覆することを特徴とする、請求項６に記載のブレスレット。
【請求項８】
前記ブレスレット（１）は、接続部（６８）によって互いに接続した第１のストランド（６４）及び第２のストランド（６６）から形成したスリーブ（６２）を含み、前記第１のストランド（６４）及び前記第２のストランド（６６）は、中空であり、それぞれ開口（７０）を備え、前記第１のアーム（５８）及び前記第２のアーム（６０）が前記開口（７０）の中で摺動できるようにすることを特徴とする、請求項６又は７に記載のブレスレット。
【請求項９】
前記スリーブ（６２）は、前記スリーブ（６２）の周縁部（７６）に沿って互いに接合する上側バンド（７２）及び下側バンド（７４）から形成することを特徴とする、請求項８に記載のブレスレット。
【請求項１０】
前記ブレスレット（１）は、第２のプラスチック又はエラストマ材料でオーバーモールドすることを特徴とする、請求項６又は７に記載のブレスレット。
【発明の詳細な説明】
【技術分野】
【０００１】
本発明は、時計ブレスレット又はストラップに関する。より詳細には、本発明は、少なくとも１つの電子機能を実施するように構成した１つ又は複数の電子構成要素を中に収容する時計ブレスレットに関する。
【背景技術】
【０００２】
現在の市場にはコネクテッド・ウォッチ（ｃｏｎｎｅｃｔｅｄ  ｗａｔｃｈ）に関する強力な傾向があり、こうしたコネクテッド・ウォッチとは、１つ又は複数の電子機能を有し、例えばスマート・フォン型の携帯電話と通信可能なものである。しかし、コネクテッド・ウォッチの場合、そのような時計の美的外観、時間の計測及び不浸透性といった品質ではなく、そのような時計がユーザに提供する一連の電子機能がより重要視される。したがって、現在市場で入手可能なコネクテッド・ウォッチは、外観が魅力的ではなく、比較的壊れやすい物体であり、これらを日常的に使用するには、ユーザの側で多大な注意を必要とする。
【０００３】
利用可能な電子機能のうち、ユーザが、潜水パラメータ（潜水時間、到達深度、温度）を記憶させ、次に、自分の潜水履歴をスマート・フォン又はパーソナル・コンピュータ内に保存することを可能にする圧力センサの提供を想定することができる。圧力センサは、時計ブレスレットの内部に収容するため、機械式であっても、電気式であっても、電気機械式であってもよい計時器ムーブメントを収容する時計ケースを修正する必要をなくすことができる。したがって、時計ケースは、当該発明のブレスレットの追加により、その美的外観、不浸透性及び時間の計測に対する特性の全てを維持する一方で、ユーザに更なる電子機能を提供する。
【０００４】
しかし、圧力センサをブレスレット内に組み込むと、ある問題を引き起こす。実際、圧力センサは、圧力を測定すべき媒体と接触させなければならない。したがって、ダイバーズ・ウォッチの場合、圧力センサは、水と接触させなければならず、このことは特に封止の点で深刻な問題を引き起こす。実際、圧力センサをブレスレットの内部に収容する場合、圧力センサが水と接触できるようにオリフィスをブレスレットの中に設けなければならない。コネクテッド・ウォッチのブレスレット又はストラップは、通常、エラストマ製であり、したがって、オリフィスは、エラストマ材料の成形の際に作り出すか、又は成形後エラストマ材料に切れ目を入れなければならない。どちらの場合も、このことは、様々なブレスレット構成要素に対し非常に正確な位置決めを必要とし、工業生産の場合に達成が非常に困難であり、オリフィスを典型的には接合によって封止しなければならないことを意味し、これにより、長期信頼性に対する問題が引き起こされる。実際、ブレスレットは、ユーザの手首の形状及び動きに適合させるため、絶えず曲げ及びひねりの動作にさらされ、水中潜水の間、高い圧力にさらされる。したがって、オリフィスは、その不浸透性を失う危険性があり、これにより、時計ブレスレットの内部に収容した電子構成要素を破壊するおそれがある。
【発明の概要】
【発明が解決しようとする課題】
【０００５】
水中潜水パラメータを測定する機能を可能にし、時計ケースと関連付けたブレスレット又はストラップを提供することによって、これら及び他の問題を克服することが本発明の目的である。
【課題を解決するための手段】
【０００６】
この目的で、本発明は、時計ケースのためのブレスレット又はストラップに関し、ブレスレット又はストラップは、第１の印刷回路部分を内部に収容する第１のアーム、及び第２のアームを備え、第１のアームは、中央部によって延在し、中央部は、時計ケースの下に位置するように構成し、電気接続手段によって第１の印刷回路部分に接続した第２の印刷回路部分を含み、第１の印刷回路部分は、少なくとも１つの電気エネルギー源及びマイクロコントローラを保持し、圧力センサに給電し、これを制御し、中央部は、時計ケースのための座として働くように構成した硬質挿入体によって覆われ、圧力センサを内部に配置する筐体は、挿入体内に設け、外部と連通し、圧力センサを周囲媒体と接触する状態にすることを可能にし、圧力センサは、第２の印刷回路部分上に組み付け、封止ガスケットは、筐体と第２の印刷回路部分との間に挿入する。
【０００７】
本発明の一実施形態によれば、第２のアーム内部に収容し、少なくとも１つの他の電子構成要素を保持する第３の印刷回路部分は、第１のアーム内部に収容した第１の印刷回路部分に、第２の印刷回路部分を介して接続する。
【０００８】
本発明の別の実施形態によれば、第１の印刷回路部分、第２の印刷回路部分及び第３の印刷回路部分は、一体に作製する。
【０００９】
本発明のまた別の実施形態によれば、中央部は、少なくとも１つの弓形部分を備える。
【００１０】
これらの特徴により、本発明は、水中潜水の間圧力を測定する圧力センサを内部に収容する、時計ケースのためのブレスレット又はストラップを実現する。圧力センサを挿入体の内部に収容することにより、センサに硬質な筐体を与え、この筐体は、単純な封止ガスケットにより不浸透性にすることができる。したがって、このことは、ブレスレットの内部に収容した電子及び電気構成要素が、水の進入によって損傷又は破壊されるという危険性を取り除く。更に、圧力センサは、圧力センサを第２の印刷回路部分に単に固定し、次に挿入体を適切な方向で置き、第２の印刷回路シートを挿入体で覆うことによって組み付けられ、圧力センサが挿入体内部に配置した筐体に入り込むことを保証する。したがって、圧力センサを組み付ける作業は、非常に単純で、容易に自動化できることに留意されたい。最後に、圧力センサは、挿入体内に配置した筐体を介して水と接触する状態にするため、ここでも、水圧の影響により損傷する危険性、又はブレスレットの変形の危険性がない。
【００１１】
ブレスレットが摩耗した場合、又はブレスレットが収容する電気エネルギー源が消耗した場合、ブレスレットは、新たなブレスレットと容易に交換することができる。当然、一変形形態によれば、電気エネルギー源は、充電可能又は交換可能なものであってもよい。
【００１２】
本発明の更なる利点によれば、印刷回路シートが２つのブレスレット・ストランド内に配設されること、及びこれらの印刷回路シートが互いに電気的に接続されることにより、ブレスレットの内部に収容する電子構成要素の数を増大可能にし、したがってユーザが利用可能な電子機能の数を増大可能にするか、又は電子構成要素を最適な様式で２つのブレスレット・ストランドの間に分散可能にすることを意味する。
【００１３】
本発明の他の特性及び利点は、本発明によるブレスレットの一実施形態の以下の詳細な説明からより明らかになるであろう。この例は、添付の図面を参照する単なる非限定的な例示として示される。
【図面の簡単な説明】
【００１４】
【図１】非組立て状態における、本発明によるブレスレットの斜視図であり、第１の印刷回路シートは、時計ケースの下に位置するように構成した中央部を介して第３の印刷回路シートに接続し、この中央部は、第１の印刷回路シートと第３の印刷回路シートとの間の電気的な導通を保証する手段を含み、時計ケースの座として働く硬質挿入体によって覆う。
【図２】図１と同様の図であり、第１の印刷回路シート及び第３の印刷回路シートは、プラスチック又はエラストマ材料の第１の層でオーバーモールドされる。
【図３Ａ】図２のブレスレットの長手方向軸に沿った垂直断面図である。
【図３Ｂ】図３Ａの円で囲んだ領域のより大きな縮尺図である。
【図４】図２のブレスレットを中に挿入するスリーブの図である。
【図５Ａ】ケースの図であり、図４のスリーブは、本発明の一実施形態によるブレスレットを間に配置する上側バンド及び下側バンドを含み、上側バンド及び下側バンドは、それらの周縁部に沿って例えば縫い合せ又は熱溶接によって互いに組み付けられる。
【図５Ｂ】ケースの図であり、図４のスリーブは、本発明の一実施形態によるブレスレットを間に配置する上側バンド及び下側バンドを含み、上側バンド及び下側バンドは、それらの周縁部に沿って例えば縫い合せ又は熱溶接によって互いに組み付けられる。
【図６】ケースの図であり、中央部は、第１の印刷回路部分と第３の印刷回路部分とを互いに電気的に接続する導電性経路を保持するための唯一の弓形部分を有する。
【図７】挿入体を案内する要素のうちの１つのより大きな縮尺詳細図であり、挿入体の内部に、封止ガスケットを挿入した圧力センサを収容する。
【図８】他の案内要素のより大きな縮尺詳細図であり、案内要素の内部に、点光源によって生成した光を外部に向けて伝える案内部を収容する。
【発明を実施するための形態】
【００１５】
本発明は、時計ムーブメント、好ましくは、限定はしないが機械式ムーブメントを収容する時計ケースを、ブレスレット又はストラップと関連付けることにある大まかな発明的発想から進行するものであり、ブレスレット又はストラップの厚さ部の中に、少なくとも１つの電気エネルギー源及びマイクロコントローラを収容し、水中潜水測定センサに給電し、これを制御する。この圧力センサは、ユーザが自分の潜水履歴（潜水時間、深度、温度）を保存し、次に、その情報を携帯電話又はパーソナル・コンピュータに転送可能にしなければならならない。この目的で、本発明によるブレスレットは、第１の印刷回路部分を内部に収容した第１のアームを含み、第１のアームは、時計ケースの下に位置するように構成した中央部によって延在し、中央部は、電気接続手段によって第１の印刷回路部分に接続した第２の印刷回路部分を含む。第１の印刷回路部分は、少なくとも１つの電気エネルギー源及びマイクロコントローラを保持し、圧力センサに給電し、これを制御する一方で、中央部は、時計ケースの座として働く硬質挿入体によって覆われ、硬質挿入体の中に、ブレスレットを時計ケースに固定可能にする棒を案内する２つの要素を配置する。これらの案内要素のうち１つの厚さ部内に、圧力センサを内部に配置する筐体を設ける。この筐体は、中央部の一方の側で開口し、圧力センサを第２の印刷回路部分に固定することを可能にし、もう一方の側で、ピンを通す穴に開口し、圧力センサを水と連通する状態にする。単純な封止ガスケットにより、ブレスレット内部に収容した電子構成要素を水から効率的に隔離することができる。更に、圧力センサは硬質筐体の中に配設するので、ブレスレットをユーザの手首に装着したときにブレスレットが受ける変形により圧力測定システムが損傷する危険性がない。
【００１６】
図１は、非組立て状態における、本発明の一実施形態によるブレスレットの斜視図である。全体参照番号１により全体が指定されたこのブレスレットは、第１の印刷回路部分４から形成した印刷回路シート２を含み、第１の印刷回路部分４は、時計ケース８の下に位置するように構成した中央部６によって延在し、中央部６は、電気接続手段によって第１の印刷回路部分４に接続した第２の印刷回路部分１０を含み、電気接続手段は、第１の印刷回路部分４と第２の印刷回路部分１０との間の電気的な導通を保証する。
【００１７】
第２の印刷回路部分１０は、第１の印刷回路部分４から電気的に分離することができる。しかし、そのような場合、第１の印刷回路部分４と第２の印刷回路部分１０との間に、ワイヤ等の電気接続手段を設けることが必要であるため、必ずしも、それほど好都合でも、それほど安全でもないと思われる。というのは、本発明の好ましい実施形態によれば、第１の印刷回路部分４及び第２の印刷回路部分１０は、一体に作製するためである。したがって、中央部６は、印刷回路シートの一部分から形成されることになり、この一部分の上に、第１の印刷回路部分４との電気的な導通を保証する導電性経路（複数可）を構成する。
【００１８】
図示のように、特に図１では、ほぼ環形状である中央部６は、２つの弓形部分６ａ及び６ｂから形成し、２つの弓形部分６ａ及び６ｂは、時計ケース８の外径に実質的に対応する外径を画定し、時計ケース８は、ケース中板１２及びケース裏蓋１４によって範囲を定める。時計ケース８は、中央部６の上に配置することを意図し、挿入体１６を時計ケース８と中央部６との間に挿入する。この挿入体１６は、硬質リング１８を含み、硬質リング１８の形状は、中央部６の形状と同様であり、硬質リング１８は、接着剤接合等のあらゆる適切な手段によって中央部６に取り付けられる。この硬質リング１８は、中央部６に剛性及び機械的強度を与え、時計ケース８の座として働く。中央部６は、そのリング形状のために、時計ケース８のケース裏蓋１４を見えたままにすることを理解されたい。
【００１９】
次に、ブレスレット１の長手方向に沿って延在する平面の断面図である図３Ａをより詳細に参照して、本発明の一実施形態によるブレスレット１を考察する。この図により示すように、時計ケース８は、一組の針、即ち時針２２ａ及び分針２２ｂを駆動する時計ムーブメント２０を収容する。これらの時針２２ａ及び分針２２ｂは、文字板２４の上で移動し、ガラス２６によって覆われる。
【００２０】
時計ケース８の内部に収容した時計ムーブメント２０は、あらゆる種類のものであり得ると理解することが重要である。時計ムーブメント２０は、単なる機械式ムーブメントであっても、単なる電気式ムーブメントであっても、電気機械式ムーブメントであってもよい。実際、時計ムーブメント２０の機械的又は電気的な性質は、時計ケース８が本発明によるブレスレット１から完全に独立し且つそのようなブレスレット１の追加が時計ケース８の内部に収容した様々な構成要素に対し何ら修正を必要としないことを考えれば、本発明の目的にとって重要ではない。
【００２１】
したがって、本発明は、時計ムーブメント２０が機械式ムーブメントである場合に特に有利であることを上記から理解されよう。実際、そのような単なる機械式時計ムーブメント２０を収容する時計ケース８に本発明のブレスレット１を追加すると、美的外観、機械的品質及び時計ケース８の封止を損なわずに、ユーザに前例のない電子機能を提供することを可能にする。
【００２２】
上述のように、本発明の一実施形態によるブレスレット１は、好ましくは中央部６と一体に作製した第１の印刷回路部分４から形成した印刷回路シート２を含み、中央部６は、第２の印刷回路部分１０を含み、第２の印刷回路部分１０の上に、第１の印刷回路部分４との電気的な導通を保証する導電性経路（複数可）を構成する。印刷回路のそのような構成が、本発明の目的で十分であることは、本明細書の後で明らかになるであろう。しかし、本発明の好ましい実施形態によれば、ブレスレット１は、第３の印刷回路部分２８を含み、第３の印刷回路部分２８は、中央部６を介して第１の印刷回路部分４に電気的に接続し、中央部６と一体に作製される。そのような構成は、多数の利点を有し、とりわけ、以下のことを述べることができる：より多くの電子構成要素をブレスレット内に有するため、ユーザが利用可能な電子機能の数を増大することができる、又は電子構成要素を最適な様式で２つのブレスレット・ストランドの間に分散することができる。特に、電気エネルギー源（複数可）を印刷回路シートのうち１つの上に組み付け、もう一方の印刷回路シート上に電子構成要素を組み付けるという想定が可能である。より多くの空間を利用可能にすることで、設計者が人間工学、及びユーザとブレスレットとの間の対話を最適にすることも理解されよう。
【００２３】
図３Ａの考察によって示すように、圧力センサ３２、加速度計３４及び磁気センサ３６を制御するマイクロコントローラ３０等の電子構成要素は、第３の印刷回路部分２８の表面に組み付けられる。これらの電子構成要素は、電気エネルギー源３８により給電され、電気エネルギー源３８も、第３の印刷回路部分２８上に組み付けられ、プッシュボタン３９によって覆われる。同様に、別のプッシュボタン３９によって覆われた電気エネルギー源３８及び別のマイクロコントローラ３０は、第１の印刷回路部分４の表面に組み付けられる。最後に、例えばブルートゥース（登録商標）、Ｗｉ−Ｆｉ又はＮＦＣインターフェースの使用により別のデバイスと通信可能な集積回路４０は、第３の印刷回路部分２８上に組み付けられる。
【００２４】
図１の考察は、特に、時計ケース８が２対の直径方向に対向するホーン４２を含み、時計ケース８を挿入体１６の上に配置すると挿入体１６がそれぞれの対のホーン４２の間に配置されるように構成した２つの案内要素４４を含むことを示す。これら２つの案内要素４４はそれぞれ、ブレスレット１を時計ケース８に取り付けるピン４８を通すための穴４６が開けられる。
【００２５】
本発明によれば、図３Ｂ及び図７で特にわかるように、案内要素４４のうち１つの厚さ部の内部に設けた筐体５０は、圧力センサ３２を収容することができる。この筐体５０は、中央部６上の一方の側で開口し、圧力センサ３２を第２の印刷回路部分１０に固定し、マイクロコントローラ３０に接続することを可能にし、もう一方の側で、ピン４８を通す穴４６に開口し、圧力センサ３２を水と連通する状態にする。実際、ピン４８を通す穴４６は、局所直径増大部５２を有し、局所直径増大部５２は、ピン４８の適切な案内を妨げずに、水を圧力センサ３２と接触させる経路をもたらすことがわかる。単純な封止ガスケット５４は、筐体５０を封止し、ブレスレット１内部に収容した電子構成要素を水から効率的に隔離する。更に、圧力センサ３２は硬質筐体５０の内部に配設するので、ブレスレット１をユーザの手首に装着したときにブレスレット１が受ける変形により圧力測定システムが損傷する危険性がない。圧力センサ３２は、例えばＭｅａｓｕｒｅｍｅｎｔ  Ｓｐｅｃｉａｌｉｔｉｅｓ  Ｉｎｃが照会番号ＭＳ５８３７−３０ＢＡで販売するセンサである。このセンサは、圧電抵抗圧力センサであり、その圧力感知要素は、ホイートストン・ブリッジ内に組み付けた応力ゲージによって形成され、センサ出力信号を最大にし、測定誤差に対する感度を最小にする。
【００２６】
全ての電子構成要素を印刷回路部分２上に組み付け、挿入体１６を中央部６上に適切に配置したとき、この組立体は、プラスチック又はエラストマ材料の第１の層５６でオーバーモールドし、第１のアーム５８及び第２のアーム６０を形成するようにする（図４を参照）。この第１のオーバーモールド層５６の目的は、第１の印刷回路部分４及び第３の印刷回路部分２８上に組み付けた電子構成要素を外部の攻撃から保護し、得られたアーム５８及び６０に形状及び機械的強度を与えることである。好ましくは、オーバーモールド作業時に棒４８をホーン４２及び案内要素４４に通して係合し、穴４６がオーバーモールド材料で詰まらないようにする。
【００２７】
ブレスレット１は、オーバーモールド作業から得られ、挿入体１６により覆われた中央部６によって互いに接続した２つのアーム５８及び６０を含み、ブレスレット１の厚さ部の中に、所望の電子機能（複数可）の実行に必要な電子構成要素を収容するものであるが、最後に、このブレスレット１をスリーブ６２内部に摺動する。図４に示す例では、スリーブ６２は、接続部６８によって互いに接続した第１のストランド６４及び第２のストランド６６を含み、接続部６８は、挿入体１６によって覆われたブレスレット１の中央部６を受け入れるようにサイズ及び形状を適合させる。このスリーブ６２は、例えばエラストマ材料を成形又は射出成形する一方で、第１のストランド６４及び第２のストランド６６が中空でありそれぞれが開口７０を備えることを保証することによって得られ、２つのアーム５８及び６０がスリーブ６２の中を摺動できるようにする。図５Ａ及び図５Ｂに示す変形実施形態によれば、スリーブ６２は、本発明によるブレスレット１を間に配置する上側バンド７２及び下側バンド７４を含み、上側バンド７２及び下側バンド７４は、それらの周縁部７６に沿って例えば縫い合せ又は熱溶接によって互いに組み付けられる。
【００２８】
言うまでもなく、本発明は、たった今説明してきた実施形態に限定するものではなく、添付の特許請求の範囲によって定義する本発明の範囲から逸脱することなく、当業者により様々な単純な修正形態及び変形形態を想定することができる。特に、スリーブ６２に対する可能な代替形態は、本発明によるブレスレット１を第２のオーバーモールド作業にかけることと思われ、この第２のオーバーモールド作業は、２つのアーム５８、６０、及び２つのアーム５８、６０を接続する中央部６を覆うことを目的とし、第２のプラスチック又はエラストマ材料の層は、第１のオーバーモールド層５６に使用した材料と同じであっても、異なっていてもよい。また、図６に示すように、中央部６は、第１の印刷回路部分４及び第３の印刷回路部分２８を互いに電気的に接続する導電性経路を保持する唯一の弓形部分７８を有することができる。案内要素４４のどちらかに設けられた切欠き８０は、圧力センサを収容せず、透明な光案内部８２を収容することができ、この透明な光案内部８２の下に、発光ダイオード等の点光源８４を配設し、この点光源８４は、第２の印刷回路部分１０上に固定され、電気エネルギー源３８による電流を供給することにも留意されたい（図８）。点光源８４は、色分けにより圧力センサ３２の動作状態を表示することができる。最後に、プッシュボタン３９を押すことにより、例えば、水中潜水の間、マイクロコントローラ３０に圧力の測定を開始するように命令するか、又は集積回路４０を介して、水中潜水に関連するデータを携帯電話若しくはパーソナル・コンピュータ等の遠隔デバイスに転送するように命令することが可能であることに留意されたい。マイクロコントローラ３０の適切なプログラムにより、マイクロコントローラ３０が、例えばプッシュボタン３９の短押しと長押しとの間の区別、又は１度押しと２度押しとの間の区別を可能にできることに留意されたい。ブレスレット１が２つのプッシュボタン３９を備える場合、２つのプッシュボタンを組み合わせて押すことを用いて、本発明によるブレスレット１に命令を入力することを想定することさえ可能である。
【符号の説明】
【００２９】
１  ブレスレット
２  印刷回路シート
４  第１の印刷回路部分
６  中央部
６ａ  弓形部分
６ｂ  弓形部分
８  時計ケース
１０  第２の印刷回路部分
１２  ケース中板
１４  ケース裏蓋
１６  挿入体
１８  硬質リング
２０  時計ムーブメント
２２ａ  時針（一組の針）
２２ｂ  分針（一組の針）
２４  文字板
２６  ガラス
２８  第３の印刷回路部分
３０  マイクロコントローラ
３２  圧力センサ
３４  加速度計
３６  磁気センサ
３８  電気エネルギー源
３９  プッシュボタン
４０  集積回路
４２  対のホーン
４４  案内要素
４６  穴
４８  ピン
５０  筐体
５２  直径増大部
５４  封止ガスケット
５６  第１の層
５８  第１のアーム
６０  第２のアーム
６２  スリーブ
６４  第１のストランド
６６  第２のストランド
６８  接続部
７０  開口
７２  上側バンド
７４  下側バンド
７６  周縁部
７８  弓形部分
８０  切欠き
８２  透明な光案内部
８４  点光源
【図１】
0006405354.tif 000002
【図２】
0006405354.tif 000003
【図３Ａ】
0006405354.tif 000004
【図３Ｂ】
0006405354.tif 000005
【図４】
0006405354.tif 000006
【図５Ａ】
0006405354.tif 000007
【図５Ｂ】
0006405354.tif 000008
【図６】
0006405354.tif 000009
【図７】
0006405354.tif 000010
【図８】
0006405354.tif 000011